(57)【要約】【課題】極めて簡単な操作で返信用封筒としても使用することができると共に簡単な構造で安価に製造することができる往復封筒を提供する。【解決手段】往信時には封緘片５の往信用封緘部７を封筒本体１の裏面に接着して封緘し、開封時には開封用切除片８を封緘片５から切除して封入口２を開き、返信時には封筒本体１の表面から往信用宛名記載部３を切除して封筒内部に入れられた返信用宛名記載片を開口窓から窓材を介して露出させると共に封緘片５の返信用封緘部６を封筒本体１の裏面に接着して封緘する。【選択図】図１
2005162293.tif 000002
【特許請求の範囲】
【請求項１】
一端に封入口が形成された封筒本体と、
封筒本体の表面に形成されると共にミシン目状の切断線で囲まれて切除可能な往信用宛名記載部と、
往信用宛名記載部を切除した後に形成される開口窓を覆う透明体からなる窓材と、
封入口に隣接するように封筒本体の表面に接続して形成される封緘片と
を備え、封緘片は封入口に隣接して区画された返信用封緘部とその先端側に区画された往信用封緘部とこれら返信用封緘部及び往信用封緘部の間にそれぞれミシン目状の切断線を介して区画された切除可能な開封用切除片とを有し、
往信時には封緘片の往信用封緘部を封筒本体の裏面に接着して封緘し、開封時には開封用切除片を封緘片から切除し、返信時には封筒本体の表面から往信用宛名記載部を切除して封筒内部に入れられた返信用宛名記載片を開口窓から窓材を介して露出させると共に封緘片の返信用封緘部を封筒本体の裏面に接着して封緘することを特徴とする往復封筒。
【請求項２】
往信用宛名記載部は、角部が欠けた矩形形状を有し、角部をつまんで切除される請求項１に記載の往復封筒。
【請求項３】
封筒本体の裏面に返信用封緘部を接着するための接着剤が封筒本体の裏面に塗布されると共にこの接着剤の表面上に剥離紙が配置されている請求項１または２に記載の往復封筒。
【請求項４】
封筒本体の裏面に往信用封緘部を接着するための接着剤が往信用封緘部に塗布されている請求項１〜３のいずれか一項に記載の往復封筒。
【発明の詳細な説明】
【技術分野】
【０００１】
この発明は、往信用に用いた封筒を簡単な操作で返信用封筒として使用することができる往復封筒に関する。
【背景技術】
【０００２】
従来、往信用封筒を用いて郵便物を出す際に、受取人に返信を依頼あるいは要求する場合には、自己の宛名を記載した返信用封筒を往信用封筒の中に同封する方法が多く採用されていた。ところが、同封の作業に手間がかかり、特に往信用封筒と返信用封筒とが互いに同じ大きさである場合には、返信用封筒を折り畳んで同封しなければならず、同封の作業がかなり煩雑になっていた。
そこで、例えば特許文献１には、往信用に用いた封筒を返信用にも使用し得る往復封筒が開示されている。
【０００３】
【特許文献１】特開平１０−１１９９７５号公報
【発明の開示】
【発明が解決しようとする課題】
【０００４】
この往復封筒においては、封筒の裏面開口部に往信用封緘片を備えると共に封筒の表面開口部に返信用封緘片を備え、フィルム状接着剤を用いて往信用封緘片を封筒の表面に剥離可能に接着することにより往信時の封緘を行い、開封後に往信用封緘片を切除して返信用封緘片を封筒の裏面に接着することにより返信時の封緘を行う。
しかしながら、往信時には返信用封緘片を封筒の内側に折り畳んでおき、返信時に返信用封緘片を封筒の内側から引き出す必要があり、その作業に手間がかかるだけでなく、剥離可能なフィルム状接着剤を要するため、封筒の製造コストが嵩むという問題があった。
【０００５】
この発明は、このような従来の問題点を解消するためになされたもので、極めて簡単な操作で返信用封筒としても使用することができると共に簡単な構造で安価に製造することができる往復封筒を提供することを目的とする。
【課題を解決するための手段】
【０００６】
この発明に係る往復封筒は、一端に封入口が形成された封筒本体と、封筒本体の表面に形成されると共にミシン目状の切断線で囲まれて切除可能な往信用宛名記載部と、往信用宛名記載部を切除した後に形成される開口窓を覆う透明体からなる窓材と、封入口に隣接するように封筒本体の表面に接続して形成される封緘片とを備え、封緘片は封入口に隣接して区画された返信用封緘部とその先端側に区画された往信用封緘部とこれら返信用封緘部及び往信用封緘部の間にそれぞれミシン目状の切断線を介して区画された切除可能な開封用切除片とを有し、往信時には封緘片の往信用封緘部を封筒本体の裏面に接着して封緘し、開封時には開封用切除片を封緘片から切除し、返信時には封筒本体の表面から往信用宛名記載部を切除して封筒内部に入れられた返信用宛名記載片を開口窓から窓材を介して露出させると共に封緘片の返信用封緘部を封筒本体の裏面に接着して封緘するものである。
【０００７】
なお、往信用宛名記載部を角部が欠けた矩形形状に形成すれば、角部をつまんで容易に切除することができる。
また、封筒本体の裏面に返信用封緘部を接着するための接着剤を封筒本体の裏面に塗布すると共にこの接着剤の表面上に剥離紙を配置することが好ましい。さらに好ましくは、封筒本体の裏面に往信用封緘部を接着するための接着剤が往信用封緘部に塗布される。
【発明の効果】
【０００８】
この発明によれば、開封用切除片を封緘片から切除して開封した後、封筒本体の表面から往信用宛名記載部を切除して封筒内部に入れられた返信用宛名記載片を開口窓から窓材を介して露出させると共に封緘片の返信用封緘部を封筒本体の裏面に接着して封緘するだけで返信用封筒として使用することができ、簡単な構造で安価に製造することが可能となる。
【発明を実施するための最良の形態】
【０００９】
以下、この発明の実施の形態を添付図面に基づいて説明する。図１に実施の形態に係る往復封筒を示す。封筒本体１の一端に封入口２が形成されている。封筒本体１の表面には、ミシン目状の切断線で囲まれた往信用宛名記載部３が形成されている。往信用宛名記載部３は矩形状を有すると共に角部４が欠けており、この角部４をつまんで引っ張ることにより、切断線に沿ってミシン目が切断されて容易に封筒本体１から切除することができるように構成されている。
【００１０】
封入口２に隣接するように封筒本体１の表面に接続して封緘片５が形成されている。封緘片５は、封入口２に隣接して区画された返信用封緘部６と、先端側に区画された往信用封緘部７と、これら返信用封緘部６及び往信用封緘部７の間にそれぞれミシン目状の切断線を介して区画された開封用切除片８とを有している。開封用切除片８は、その端部をつまんで引っ張ることにより、切断線に沿ってミシン目が切断されて容易に封緘片５から切除される。
【００１１】
図２に示されるように、往信用封緘部７の裏面には、封筒本体１の裏面に往信用封緘部７を接着するための接着剤９が塗布されている。また、封筒本体１の裏面上部には、返信用封緘部６を接着するための図示しない接着剤が塗布され、この接着剤の表面上に剥離紙１０が配置されている。
【００１２】
封筒本体１の表面の裏側には、図３に示されるように、往信用宛名記載部３を切除した後に形成される開口窓１１を覆う窓材１２が配置されている。窓材１２は、セロハン紙やグラシン紙等の透明体から形成され、開口窓１１の周辺部において封筒本体１の表面の裏側に貼付されている。
この実施の形態に係る往復封筒は、図４及び５に展開図が示されるような用紙を用いて作成することができる。
【００１３】
次に、往復封筒の使用方法について説明する。まず、往信時には、封入口２から封筒本体１内に同封物を入れた後、図６及び７に示されるように、封緘片５を封筒本体１の裏面側へ折り返し、往信用封緘部７の接着剤９を用いて往信用封緘部７を封筒本体１の裏面に接着することにより封緘する。なお、往信用封緘部７の接着剤９は、通常時は乾燥していて同封物等に付着することはなく、水分を含ませることで接着力が復元して接着することができる。ただし、粘着性の接着剤の表面上に剥離紙を配置しておき、剥離紙を剥離して接着するようにしてもよい。また、封筒本体１の表面の隅部１３には、切手を貼ってもよいし、あるいは印刷やスタンプにより料金別納の表示をしてもよい。
【００１４】
次に、開封時には、開封用切除片８の端部をつまんで引っ張ることにより切断線に沿ってミシン目を切断し、開封用切除片８を封緘片５から切除する。このとき、封緘片５の往信用封緘部７は既に封筒本体１の裏面に接着されているが、返信用封緘部６は接着されていないため、開封用切除片８の切除によって封筒本体１の裏面から開放され、図８に示されるように、封入口２を開いて同封物を引き出すことができる。
【００１５】
さらに、この往復封筒を返信用封筒として使用する場合には、まず封筒本体１の表面から往信用宛名記載部３の角部４をつまんで引っ張ることにより切断線に沿ってミシン目を切断し、往信用宛名記載部３を封筒本体１から切除する。これにより、開口窓１１から透明の窓材１２を介して封筒本体１の中が見えるようになる。そこで、返信用宛名が記された返信用宛名記載片１４を封入口２から封筒本体１内に入れ、返信用宛名を開口窓１１から窓材１２を介して露出させる。
次に、封筒本体１内に同封物を入れた後、封筒本体１の裏面上部に配置されている剥離紙１０を剥離して粘着性の接着剤を露出させ、その上に返信用封緘部６を押しつけて接着することにより封緘する。このときの封筒本体１の裏面の様子を図１０に示す。さらに、図９に示されるように、封筒本体１の表面の隅部１３の上から返信用の切手１５を貼付する。
【００１６】
なお、剥離紙１０を用いずに、通常時は乾燥していて同封物等に付着することのない接着剤を封筒本体１の裏面上部に塗布しておき、封緘時に接着剤に水分を含ませることで接着力を復元させるようにしてもよい。
【００１７】
以上のように、極めて簡単な操作により往信用封筒を返信用封筒としても使用することが可能となる。
なお、開封の操作のガイドとして、例えば「ここからご開封下さい」という注意書きを開封用切除片８の表面上に印刷することができる。同様に、往信用宛名記載部３の角部４の近傍に「返信の際は、ここからはがして下さい」の注意書き、封筒本体１の表面の隅部１３の近傍に「返信の際は、同封の切手をこのスタンプの上に貼って下さい」の注意書き、封筒本体１の裏面の剥離紙１０の近傍に「返信の際は、封入後上のテープをはがし封緘して下さい」の注意書き等のガイドを表示すれば、返信用封筒とするための操作をしやすくなる。
【００１８】
また、往信用宛名記載部３や開封用切除片８を囲むミシン目状の切断線は、ミシン目の間隔を狭めたり、ミシン目のサイズを選択することにより、これら往信用宛名記載部３や開封用切除片８を切除しやすくすることが好ましい。
この往復封筒は、図４及び５に展開図を示した用紙により、汎用の封入・封緘機を用いて製造することが可能である。
【図面の簡単な説明】
【００１９】
【図１】この発明の実施の形態に係る往復封筒を示す正面図である。
【図２】実施の形態に係る往復封筒を示す背面図である。
【図３】往復封筒の往信用宛名記載部及び開口窓を示す断面図である。
【図４】往復封筒に用いられた用紙の表面を示す平面図である。
【図５】往復封筒に用いられた用紙の裏面を示す平面図である。
【図６】往信時の往復封筒を示す正面図である。
【図７】往信時の往復封筒を示す背面図である。
【図８】開封時の往復封筒を示す背面図である。
【図９】返信時の往復封筒を示す正面図である。
【図１０】返信時の往復封筒を示す背面図である。
【符号の説明】
【００２０】
１  封筒本体、２  封入口、３  往信用宛名記載部、４  角部、５  封緘片、６  返信用封緘部、７  往信用封緘部、８  開封用切除片、９  接着剤、１０  剥離紙、１１  開口窓、１２  窓材、１３  隅部、１４  返信用宛名記載片、１５  切手。
【図１】
2005162293.tif 000003
【図２】
2005162293.tif 000004
【図３】
2005162293.tif 000005
【図４】
2005162293.tif 000006
【図５】
2005162293.tif 000007
【図６】
2005162293.tif 000008
【図７】
2005162293.tif 000009
【図８】
2005162293.tif 000010
【図９】
2005162293.tif 000011
【図１０】
2005162293.tif 000012